(57)【要約】【課題】ＤＶＤプレイヤ等の光ディスク再生装置において、トレイ上における光ディスクの載置位置が所定位置からずれている場合でも、ずれの方向に関わらず、トレイの引き込みミスを防いで、トレイ上に載置された光ディスクの破損を防止する。【解決手段】３つのスイッチのうち一部のみがオンの状態であるときには（Ｓ２でＮＯ、Ｓ３でＮＯ）、トレイ上におけるＤＶＤの載置位置が所定位置からずれていると判断して、トレイイン動作の実行を行わないようにした（Ｓ４）。また、３つのスイッチが全てオフの状態であり（Ｓ３でＹＥＳ）、かつ、トレイイン動作の実行の指示がトレイアウト動作完了後の所定時間内に行われなかった場合にも（Ｓ５でＮＯ）、トレイ上におけるＤＶＤの載置位置が所定位置からずれていると判断して、強制実行の指示がなければ（Ｓ７でＮＯ）、トレイイン動作の実行を行わないようにした。【選択図】      図６
2004206761.tif 000002
【特許請求の範囲】
【請求項１】
光ディスクを載置するトレイと、
前記トレイを装置外部から装置内部に搬送するトレイイン動作、及び前記トレイを装置内部から装置外部に搬送するトレイアウト動作を行う搬送手段と、
前記搬送手段によるトレイイン動作及びトレイアウト動作の実行を指示する指示手段と、
前記搬送手段により装置内部に搬送されたトレイ上の光ディスクに記録された情報を読み取る光ディスク情報読取手段と、
前記光ディスク情報読取手段により読み取った情報を再生する再生手段とを備えた光ディスク再生装置において、
前記トレイ上の前記光ディスクが載置されるべき位置に配設されて、前記光ディスクが前記トレイ上の所定位置に載置されている場合にオンの状態となり、前記光ディスクが前記トレイ上の所定位置に載置されていない場合にオフの状態となる複数のスイッチと、
前記指示手段によりトレイイン動作の実行が指示されたときに、前記の各スイッチのオン／オフ状態をチェックして、そのチェック結果に基づいて前記搬送手段によるトレイイン動作を実行するか否かを制御する制御手段と、
前記搬送手段によるトレイイン動作の強制的な実行を指示する強制実行指示手段とをさらに備え、
前記制御手段は、
前記複数のスイッチのうち全てのスイッチがオンの状態であるときには、前記搬送手段によるトレイイン動作の実行を行い、
前記複数のスイッチのうち全てのスイッチがオフの状態であるときには、前記指示手段によるトレイイン動作の実行の指示が、前記搬送手段によるトレイアウト動作完了後の所定時間内に行われたか否かをチェックして、所定時間内に行われた場合には、前記搬送手段によるトレイイン動作の実行を行い、所定時間経過後に行われた場合には、前記強制実行指示手段により指示されたときに限り、前記搬送手段によるトレイイン動作の実行を行い、それ以外のときには前記搬送手段によるトレイイン動作の実行を行わず、
前記複数のスイッチのうち一部のスイッチのみがオンの状態であるときには、前記搬送手段によるトレイイン動作の実行を行わないようにしたことを特徴とする光ディスク再生装置。
【請求項２】
前記制御手段は、前記搬送手段によるトレイイン動作が終了するまで前記各スイッチのオン／オフ状態のチェックを継続し、いずれかのスイッチのオン／オフ状態が変化した場合に、前記搬送手段によるトレイイン動作を中止するようにしたことを特徴とする請求項１に記載の光ディスク再生装置。
【請求項３】
光ディスクを載置するトレイと、
前記トレイを装置外部から装置内部に搬送するトレイイン動作、及び前記トレイを装置内部から装置外部に搬送するトレイアウト動作を行う搬送手段と、
前記搬送手段によるトレイイン動作及びトレイアウト動作の実行を指示する指示手段と、
前記搬送手段により装置内部に搬送されたトレイ上の光ディスクに記録された情報を読み取る光ディスク情報読取手段と、
前記光ディスク情報読取手段により読み取った情報を再生する再生手段とを備えた光ディスク再生装置において、
前記光ディスクが前記トレイ上の所定位置に載置されているか否かを検知する検知手段と、
前記指示手段によりトレイイン動作の実行が指示されたときに、前記検知手段による検知結果をチェックして、前記光ディスクが前記トレイ上の所定位置に載置されていると検知された場合に、前記搬送手段によるトレイイン動作の実行を行い、前記光ディスクが前記トレイ上の所定位置に載置されていないと検知された場合に、前記搬送手段によるトレイイン動作の実行を行わないように制御する制御手段とをさらに備えたことを特徴とする光ディスク再生装置。
【請求項４】
前記検知手段は、前記トレイ上の前記光ディスクが載置されるべき位置に配設された複数のスイッチから構成されることを特徴とする請求項３に記載の光ディスク再生装置。
【発明の詳細な説明】
【０００１】
【発明の属する技術分野】
本発明は、ＤＶＤ（Digital Versatile Disc）等の光ディスクを載置するトレイを有し、トレイに載置された光ディスクに記録された画像、音声等の情報を再生する光ディスク再生装置に係り、特に、トレイに載置された光ディスクの破損を防止する技術に関する。
【０００２】
【従来の技術】
従来より、ＣＤ（Compact Disc），ＬＤ(Laser Disc)，ＤＶＤ−ＲＯＭ(DVD-Read Only Memory)，ＭＤ(Mini Disc)等の光ディスクに記録された画像、音声、文字等の情報を再生する光ディスク再生装置には、光ディスク載置用のトレイ上に光ディスクの径のサイズよりも若干大きめのサイズの開口径を有するディスク装填用の枠が設けられており、ユーザがディスク装填枠内に光ディスクを置くことにより、光ディスクがトレイ上の所定の位置にセットされるようになっている。この種の装置において、トレイがオープンした状態で光ディスクが載置された位置が装置本体側（以下、奥側という）にずれた場合に、トレイの引き込みミスを防ぎ、トレイ上に載置された光ディスクの破損を防止するための工夫が施された装置がある。この装置では、トレイ上における奥側の位置に凸部を設けて、光ディスクがトレイ上における奥側にずれた位置に載置された場合に、上記の凸部により光ディスクを傾けて、トレイのクローズ時に光ディスクの先端部分が装置本体前面のプレートに当たり、光ディスクがディスク装填枠内に落ちてトレイ上の所定の位置にセットされるようにしている。
【０００３】
また、ディスク載置用のトレイを有さず、装置本体の内部にディスクを直接挿入する方式のディスク再生装置の分野において、複数の光学式センサを装置本体の内部に設けて、これらの光学式センサにより装置本体の内部に挿入されたディスクの径の違いを識別するようにしたものが知られている（例えば、特許文献１参照）。
【０００４】
【特許文献１】
特公平８−２３９６４号公報（第１頁、第２頁及び第７頁、第２図）
【０００５】
【発明が解決しようとする課題】
しかしながら、上記のようなトレイ上における奥側の位置に配設した凸部により光ディスクを傾けて、光ディスクの先端部分が装置本体前面のプレートによりディスク装填枠内に押し出されるようにした装置では、トレイ上における光ディスクの載置位置が奥側以外の方向にずれた場合には、光ディスクをトレイ上の所定の位置にセットすることができないため、トレイの引き込みミスを防ぐことができないという問題があった。また、上記特許文献１に示されるような装置本体内部にディスクを直接挿入する方式のディスク再生装置に関する発明を、光ディスクが載置されたトレイを装置内部に引き込む方式の光ディスク再生装置に適用したとしても、トレイの引き込みミスを防ぐことはできない。また、上記特許文献１に示される発明には、ディスクの検知に複数の光学式センサを用いているため、検知器のコストを下げることが難しいという問題があった。
【０００６】
本発明は、上記の問題を解決するためになされたものであり、トレイ上における光ディスクの載置位置が所定位置からずれている場合でも、ずれの方向に関わらず、トレイの引き込みミスを防いで、トレイ上に載置された光ディスクの破損を防止することが可能な光ディスク再生装置を提供することを目的とする。
【０００７】
【課題を解決するための手段】
上記目的を達成するために請求項１の発明は、光ディスクを載置するトレイと、トレイを装置外部から装置内部に搬送するトレイイン動作、及びトレイを装置内部から装置外部に搬送するトレイアウト動作を行う搬送手段と、搬送手段によるトレイイン動作及びトレイアウト動作の実行を指示する指示手段と、搬送手段により装置内部に搬送されたトレイ上の光ディスクに記録された情報を読み取る光ディスク情報読取手段と、光ディスク情報読取手段により読み取った情報を再生する再生手段とを備えた光ディスク再生装置において、トレイ上の光ディスクが載置されるべき位置に配設されて、光ディスクがトレイ上の所定位置に載置されている場合にオンの状態となり、光ディスクがトレイ上の所定位置に載置されていない場合にオフの状態となる複数のスイッチと、指示手段によりトレイイン動作の実行が指示されたときに、上記の各スイッチのオン／オフ状態をチェックして、そのチェック結果に基づいて搬送手段によるトレイイン動作を実行するか否かを制御する制御手段と、搬送手段によるトレイイン動作の強制的な実行を指示する強制実行指示手段とをさらに備え、制御手段は、複数のスイッチのうち全てのスイッチがオンの状態であるときには、搬送手段によるトレイイン動作の実行を行い、複数のスイッチのうち全てのスイッチがオフの状態であるときには、指示手段によるトレイイン動作の実行の指示が、搬送手段によるトレイアウト動作完了後の所定時間内に行われたか否かをチェックして、所定時間内に行われた場合には、搬送手段によるトレイイン動作の実行を行い、所定時間経過後に行われた場合には、強制実行指示手段により指示されたときに限り、搬送手段によるトレイイン動作の実行を行い、それ以外のときには搬送手段によるトレイイン動作の実行を行わず、複数のスイッチのうち一部のスイッチのみがオンの状態であるときには、搬送手段によるトレイイン動作の実行を行わないようにしたものである。
【０００８】
上記構成においては、制御手段は、複数のスイッチのうち全てのスイッチがオンの状態であるときには、トレイ上における光ディスクの載置位置が所定位置からずれていないと判断して、搬送手段によるトレイイン動作の実行を行う。また、複数のスイッチのうち全てのスイッチがオフの状態であるときには、指示手段によるトレイイン動作の実行の指示が、搬送手段によるトレイアウト動作完了後の所定時間内に行われたか否かをチェックして、所定時間内に行われた場合には、装置内部の光ディスクを取り出すためにトレイアウト動作及びトレイイン動作の実行が指示されたと判断して、搬送手段によるトレイイン動作の実行を行う。
【０００９】
これに対して、上記のチェックの結果、指示手段によるトレイイン動作の実行の指示が、搬送手段によるトレイアウト動作完了後の所定時間経過後に行われた場合には、制御手段は、装置内部に光ディスクを挿入するためにトレイアウト動作及びトレイイン動作の実行が指示され、かつ、トレイ上における光ディスクの載置位置が所定位置からずれていると判断して、強制実行指示手段による強制実行の指示がなければ、搬送手段によるトレイイン動作の実行を行わない。また、上記のチェックの結果、指示手段によるトレイイン動作の実行の指示が、搬送手段によるトレイアウト動作完了後の所定時間経過後に行われた場合であっても、強制実行指示手段により強制実行が指示されたときには、制御手段は、装置内部の光ディスクを取り出すためにトレイアウト動作及びトレイイン動作の実行が指示されたと判断して、搬送手段によるトレイイン動作の実行を行う。
【００１０】
また、複数のスイッチのうち一部のスイッチのみがオンの状態であるときには、制御手段は、トレイ上における光ディスクの載置位置が所定位置からずれていると判断して、搬送手段によるトレイイン動作の実行を行わない。
【００１１】
上記のようにしたことにより、装置内部に光ディスクを挿入する際に、トレイ上における光ディスクの載置位置が所定位置からずれている場合でも、ずれの方向に関わらず、搬送手段によるトレイイン動作の実行を行わないようにすることができるので、トレイの引き込みミスを防いで、トレイ上に載置された光ディスクの破損を防止することができる。
【００１２】
また、請求項２の発明は、請求項１の発明において、制御手段が、搬送手段によるトレイイン動作が終了するまで各スイッチのオン／オフ状態のチェックを継続し、いずれかのスイッチのオン／オフ状態が変化した場合に、搬送手段によるトレイイン動作を中止するようにしたものである。この構成においては、搬送手段によるトレイイン動作の途中に、トレイ上における光ディスクの載置位置が所定位置からずれた場合でも、搬送手段によるトレイイン動作を中止することができるので、トレイの引き込みミスをより確実に防止することができる。
【００１３】
また、請求項３の発明は、光ディスクを載置するトレイと、トレイを装置外部から装置内部に搬送するトレイイン動作、及びトレイを装置内部から装置外部に搬送するトレイアウト動作を行う搬送手段と、搬送手段によるトレイイン動作及びトレイアウト動作の実行を指示する指示手段と、搬送手段により装置内部に搬送されたトレイ上の光ディスクに記録された情報を読み取る光ディスク情報読取手段と、光ディスク情報読取手段により読み取った情報を再生する再生手段とを備えた光ディスク再生装置において、光ディスクがトレイ上の所定位置に載置されているか否かを検知する検知手段と、指示手段によりトレイイン動作の実行が指示されたときに、検知手段による検知結果をチェックして、光ディスクがトレイ上の所定位置に載置されていると検知された場合に、搬送手段によるトレイイン動作の実行を行い、光ディスクがトレイ上の所定位置に載置されていないと検知された場合に、搬送手段によるトレイイン動作の実行を行わないように制御する制御手段とをさらに備えたものである。
【００１４】
この構成においては、制御手段は、指示手段によりトレイイン動作の実行が指示されたときに、検知手段による検知結果をチェックして、光ディスクがトレイ上の所定位置に載置されていると検知された場合に、搬送手段によるトレイイン動作の実行を行い、光ディスクがトレイ上の所定位置に載置されていないと検知された場合に、搬送手段によるトレイイン動作の実行を行わないように制御する。これにより、上記請求項１と同様な作用を得ることができる。
【００１５】
また、請求項４の発明は、請求項３の発明において、検知手段が、トレイ上の光ディスクが載置されるべき位置に配設された複数のスイッチから構成されるものである。この構成においては、光ディスクがトレイ上の所定位置に載置されているか否かを、トレイ上に配設された複数のスイッチで検知することができるので、１つのスイッチで検知した場合に比べて、光ディスクがトレイ上の所定位置に載置されているか否かをより正確に検知することができる。
【００１６】
【発明の実施の形態】
以下、本発明を具体化した実施形態について図面を参照して説明する。図１は、本実施形態によるＤＶＤプレイヤ（光ディスク再生装置）の電気的ブロック構成を示す。このＤＶＤプレイヤ１は、ＤＶＤ（Digital Versatile Disc）２１に記録されている映像データを読み取って再生し、再生した映像をディスプレイ３０に表示させる装置であり、ＤＶＤ２１がトレイ（図２及び図３参照）上の所定の位置に載置されていない場合にトレイイン動作を行わないようにする機能を有するものである。
【００１７】
上記のＤＶＤプレイヤ１は、ＤＶＤ２１がトレイ上の所定の位置に載置されたか否かを検知するディスク載置検知部（検知手段）１１、装置外部から装置内部へのトレイの搬送（トレイイン動作）と装置内部から装置外部へのトレイの搬送（トレイアウト動作）とを行うローディングモータ１２（搬送手段）、及びトレイ上に載置されたＤＶＤ２１がローディングモータ１２により搬送されて装置内部に挿入されたことを検知するディスク挿入検知部２を有している。また、ＤＶＤプレイヤ１は、ＤＶＤ２１に記録されている情報の読み取り時にＤＶＤ２１を回転駆動するスピンドルモータ３、ＤＶＤ２１に記録されている情報をＲＦ信号の形式で出力する光ピックアップ４（光ディスク情報読取手段）、光ピックアップ４から出力されたＲＦ信号の２値化処理等を行うＲＦ回路５、ＲＦ回路５による処理後のデータに対してデータ復調や誤り訂正等のデコード処理を施すデコーダ６（再生手段）、及びデコーダ６から出力されたデジタル信号をアナログ信号に変換するＤ／Ａ変換処理部１５を有している。
【００１８】
また、ＤＶＤプレイヤ１は、装置全体の制御を行う制御部１０（制御手段）、及び装置本体に対して再生・停止等の指示を行うためのリモコン４０を備えている。制御部１０には、上記のディスク挿入検知部２、スピンドルモータ３、ＲＦ回路５、デコーダ６、ディスク載置検知部１１及びローディングモータ１２に加えて、装置に上記のトレイアウト動作の実行等を指示するための操作部７、各種のメッセージを表示する表示部８、リモコン４０から送信された赤外線信号を受信して電気信号に変換する赤外線信号受信部９、及び各種の設定データ等を格納したメモリ１３が接続されている。また、制御部１０はタイマ１４を内蔵している。
【００１９】
図２は、トレイがクローズした状態におけるＤＶＤプレイヤ１、リモコン４０及びディスプレイ３０を示す。図に示されるように、ＤＶＤプレイヤ１の前面には、上記の操作部７、表示部８及び赤外線信号受信部９に加えて、ＤＶＤ２１を載置するためのトレイ５１が配設されている。操作部７には、上記のトレイイン動作及びトレイアウト動作の実行を指示するためのエジェクトキー５２が含まれる。また、上記のリモコン４０には、ＤＶＤプレイヤ１の電源のオン／オフを切り替えるための電源キー４１、エジェクトキー４２、数字入力キー４３、再生キー等の各種の操作キー４４、及び赤外線信号を発信する赤外線信号発信部４６が配されている。上記の操作キー４４には、選択キー４５（強制実行指示手段）が含まれている。上記操作部７上のエジェクトキー５２、及びリモコン４０上のエジェクトキー４２が、請求項における指示手段に相当する。
【００２０】
図３は、オープンした状態におけるトレイ５１を示す。トレイ５１上のＤＶＤ２１が載置されるべき位置には、ＤＶＤ２１の装填枠５２が設けられており、この装填枠５２は、その径がＤＶＤ２１の径よりも少し大きめの径となるように形成されている。この装填枠５２内には、ＤＶＤ２１がトレイ５１上の所定位置に載置されている場合にオンの状態となり、ＤＶＤ２１がトレイ５１上の所定位置に載置されていない場合にオフの状態となる複数の押しボタン式のスイッチ５３乃至５５が設けられている。これらのスイッチ５３乃至５５は、図４に示されるように、制御部１０と接続しており、図１中におけるディスク載置検知部１１を構成する。制御部１０は、ユーザが操作部７上のエジェクトキー５２等によりトレイイン動作の実行を指示すると、上記のスイッチ５３乃至５５のオン／オフ状態をチェックして、そのチェック結果に基づいてローディングモータ１２によるトレイイン動作を実行するか否かを制御する。
【００２１】
次に、図５（ａ）（ｂ）を参照して、上記のオン／オフ状態のチェック結果に基づいてトレイイン動作の実行を制御する方法について具体的に説明する。図５（ａ）に示されるように、ＤＶＤ２１がトレイ５１上の所定位置に載置されている場合には、全てのスイッチ５３乃至５５がオンの状態となるが、図５（ｂ）に示されるように、ＤＶＤ２１がトレイ５１上の所定位置に載置されていない場合には、スイッチ５３乃至５５のうち少なくともいずれかのスイッチがオフの状態となる。従って、制御部１０は、全てのスイッチ５３乃至５５がオンの状態であるときには、トレイ５１上におけるＤＶＤ２１の載置位置が所定位置からずれていないと判断して、ローディングモータ１２に対してトレイイン動作の実行を指示する。これに対して、上記３つのスイッチ５３乃至５５のうちいずれかがオフの状態であるときには、原則として、トレイ５１上におけるＤＶＤ２１の載置位置が所定位置からずれていると判断して、ローディングモータ１２に対してトレイイン動作の実行を指示しない。
【００２２】
次に、上記図１乃至図５に加えて、図６のフローチャートを参照して、上記ＤＶＤプレイヤ１におけるトレイイン動作の実行指示時の処理について説明する。トレイ５１がオープンした状態において、ユーザが、操作部７上のエジェクトキー５２又はリモコン４０上のエジェクトキー４２を押すか、或いはトレイ５１をＤＶＤプレイヤ１の装置本体内側に押して、トレイイン動作の実行を指示すると（Ｓ１でＹＥＳ）、制御部１０は、トレイ５１上のスイッチ５３乃至５５のオン／オフ状態をチェックする。そして、これらのスイッチ５３乃至５５が３つともオンの状態であるときには（Ｓ２でＹＥＳ）、トレイ５１上におけるＤＶＤ２１の載置位置が所定位置からずれていないと判断して、トレイイン動作を開始する（Ｓ９）。これに対して、上記３つのスイッチ５３乃至５５のうちいずれかがオフの状態で（Ｓ２でＮＯ）、かつ、これらのスイッチ５３乃至５５が３つともオフの状態でないときには（Ｓ３でＮＯ）、制御部１０は、トレイ５１上におけるＤＶＤ２１の載置位置が所定位置からずれていると判断する。そして、ユーザにＤＶＤ２１の載置位置がずれていることを知らせるために、表示部８又はディスプレイ３０上に警告用のメッセージを表示して、トレイイン動作を行わない（Ｓ４）。
【００２３】
上記Ｓ３において、スイッチ５３乃至５５が３つともオフの状態であるときには（Ｓ３でＹＥＳ）、制御部１０は、上記のＳ１におけるエジェクトキー５２の押下等によるトレイイン動作の実行の指示が、直前のトレイアウト動作が完了してから所定の時間内に行われたか否かをチェックする（Ｓ５）。その結果、トレイイン動作の開始の指示がトレイアウト動作完了後の所定時間内に行われた場合には（Ｓ５でＹＥＳ）、ＤＶＤプレイヤ１内部のＤＶＤ２１を取り出すために、直前のトレイアウト動作の実行及び今回のトレイイン動作の実行が指示されたと判断する。この場合には、トレイ５１上にはＤＶＤ２１が載置されていなくて当然なので、制御部１０は、スイッチ５３乃至５５が３つともオフの状態であっても、警告の表示等を行わず、無条件でトレイイン動作を開始する（Ｓ９）。
【００２４】
これに対して、トレイイン動作の実行の指示がトレイアウト動作完了後の所定時間内に行われなかった場合には（Ｓ５でＮＯ）、制御部１０は、ＤＶＤプレイヤ１内部のＤＶＤ２１を交換するため、又はＤＶＤプレイヤ１内部に新たにＤＶＤ２１を挿入するために直前のトレイアウト動作の実行及び今回のトレイイン動作の実行が指示された可能性が高いと判断する。この場合には、トレイ５１上にはＤＶＤ２１が載置されている可能性が高いので、スイッチ５３乃至５５が３つともオフの状態であることは、トレイ５１上におけるＤＶＤ２１の載置位置が所定位置からずれている可能性が高いことを示す。従って、制御部１０は、表示部８又はディスプレイ３０上に、ＤＶＤ２１の載置位置がずれている可能性がある旨の警告メッセージを表示した上で（Ｓ６）、ディスプレイ３０上にトレイイン動作を行うか否かを選択するための画面を表示する。そして、ユーザによりリモコン４０上の選択キー４５を用いてトレイイン動作を行う旨の選択指示（強制実行指示）がされた場合に限り（Ｓ７でＹＥＳ）、上記のＳ６で表示した警告を表示部８又はディスプレイ３０上から消去して（Ｓ８）、トレイイン動作を開始し（Ｓ９）し、それ以外の場合には（Ｓ７でＮＯ）、トレイイン動作を行わないで、上記Ｓ２に戻る。
【００２５】
上記の処理の結果、Ｓ９に示されるトレイイン動作を開始した場合には、制御部１０は、トレイイン動作が終了するまで（Ｓ１３でＮＯ）、スイッチ５３乃至５５からの入力信号が変化したか否かのチェック（Ｓ１０）を継続する。そして、スイッチ５３乃至５５からの入力信号が変化した場合には（Ｓ１０でＹＥＳ）、何らかの原因でトレイ５１上におけるＤＶＤ２１の載置位置が所定位置からずれたと判断して、ユーザにＤＶＤ２１の載置位置がずれていることを知らせるために、表示部８又はディスプレイ３０上に警告用のメッセージを表示し（Ｓ１１）、トレイイン動作を停止して、トレイアウト動作を行う（Ｓ１２）。
【００２６】
上述したように、本実施形態によるＤＶＤプレイヤ１によれば、３つのスイッチ５３乃至５５のうち一部のスイッチのみがオンの状態であるときには、トレイ５１上におけるＤＶＤ２１の載置位置が所定位置からずれていると判断して、トレイイン動作の実行を行わないようにした。また、全てのスイッチ５３乃至５５がオフの状態であり、かつ、トレイイン動作の実行の指示がトレイアウト動作完了後の所定時間内に行われなかった場合には、ＤＶＤプレイヤ１内部のＤＶＤ２１を交換するため、又はＤＶＤプレイヤ１内部に新たにＤＶＤ２１を挿入するためにトレイイン動作の実行が指示され、かつ、トレイ５１上におけるＤＶＤ２１の載置位置が所定位置からずれていると判断して、強制実行の指示がなければ、トレイイン動作の実行を行わないようにした。これにより、ＤＶＤプレイヤ１内部にＤＶＤ２１を挿入する際に、トレイ５１上におけるＤＶＤ２１の載置位置が所定位置からずれている場合には、ずれの方向に関わらず、トレイイン動作を実行しないようにすることができるので、トレイ５１の引き込みミスを防いで、トレイ５１上に載置されたＤＶＤ２１の破損を防止することができる。
【００２７】
また、トレイ５１上におけるＤＶＤ２１の載置位置の検出器として、高価な光学式センサではなく、安価な押しボタン式のスイッチ５３乃至５５を使用するようにしたことにより、ＤＶＤプレイヤ１全体の製造コストを下げることができる。
【００２８】
なお、本発明は、上記実施形態に限られるものではなく、様々な変形が可能である。例えば、本実施形態では、ディスプレイ３０上にトレイイン動作を行うか否かの選択画面を表示して、ユーザがリモコン４０上の選択キー４５を用いてトレイイン動作を行う旨の選択指示を行う方法により、トレイイン動作の強制的な実行を指示したが、リモコン上に強制実行指示ボタンを設けて、この強制実行指示ボタンにより強制実行を指示してもよいし、また、操作部上又はリモコン上のエジェクトキーを所定時間内に２回押す方法により強制実行を指示してもよい。また、上記実施形態では、ＤＶＤ２１がトレイ５１上の所定位置に載置されていることを検知するための検知手段を、３つの押しボタン式のスイッチ５３乃至５５により構成した場合の例を示したが、検知手段の構成はこれに限らず、押しボタン式スイッチ以外の他の検知器により構成してもよい。また、検知手段を構成する検知器の数は、３つに限らない。
【００２９】
【発明の効果】
以上説明したように請求項１の発明によれば、複数のスイッチのうち一部のスイッチのみがオンの状態であるときには、トレイ上における光ディスクの載置位置が所定位置からずれていると判断して、トレイイン動作の実行を行わないようにした。また、複数のスイッチのうち全てのスイッチがオフの状態であるときには、トレイイン動作の実行の指示が、トレイアウト動作完了後の所定時間内に行われたか否かをチェックして、上記の指示がトレイアウト動作完了後の所定時間内に行なわれなかった場合には、装置内部に光ディスクを挿入するためにトレイイン動作の実行が指示され、かつ、トレイ上における光ディスクの載置位置が所定位置からずれていると判断して、強制実行の指示がなければ、トレイイン動作の実行を行わないようにした。これにより、装置内部に光ディスクを挿入する際に、トレイ上における光ディスクの載置位置が所定位置からずれている場合には、ずれの方向に関わらず、トレイイン動作を実行しないようにすることができるので、トレイの引き込みミスを防いで、トレイ上に載置された光ディスクの破損を防止することができる。また、上記特許文献１に示されるディスクの検知に複数の光学式センサを用いる装置と異なり、ディスクが載置された場合にオンとなる、いわゆる押しボタン式のスイッチを検知器に用いるようにしたことにより、装置全体の製造コストを下げることができる。
【００３０】
また、トレイイン動作が終了するまで各スイッチのオン／オフ状態のチェックを継続し、いずれかのスイッチのオン／オフ状態が変化した場合に、トレイイン動作を中止するようにしたことにより、トレイイン動作の途中で、トレイ上における光ディスクの載置位置が所定位置からずれた場合でも、トレイイン動作を中止することができる。これにより、トレイの引き込みミスをより確実に防止することができる。
【００３１】
また、請求項３の発明によれば、トレイイン動作の実行が指示されたときに、検知手段による検知結果をチェックして、光ディスクがトレイ上の所定位置に載置されていると検知された場合に、トレイイン動作の実行を行い、光ディスクがトレイ上の所定位置に載置されていないと検知された場合に、トレイイン動作の実行を行わないようにした。これにより、上記請求項１に記載の効果と同等の効果を得ることができる。
【００３２】
また、検知手段をトレイ上の光ディスクが載置されるべき位置に配設された複数のスイッチで構成したことにより、検知手段を１つのスイッチで構成した場合に比べて、光ディスクがトレイ上の所定位置に載置されているか否かをより正確に検知することができる。
【図面の簡単な説明】
【図１】本発明の一実施形態に係る光ディスク再生装置の電気的ブロック構成図。
【図２】トレイがクローズした状態における上記再生装置及びディスプレイを示す正面図。
【図３】上記再生装置におけるオープンした状態のトレイを示す斜視図。
【図４】上記再生装置におけるディスク載置検知部の電気的な構成を示す図。
【図５】（ａ）は光ディスクがトレイ上の載置されるべき位置に載置されている様子を示す斜視図、（ｂ）は光ディスクがトレイ上の載置されるべき位置からずれた位置に載置されている様子を示す斜視図。
【図６】上記再生装置におけるトレイイン動作実行指示時の処理を示すフローチャート。
【符号の説明】
１      ＤＶＤプレイヤ（光ディスク再生装置）
４      光ピックアップ（光ディスク情報読取手段）
６      デコーダ（再生手段）
１０    制御部（制御手段）
１２    ローディングモータ（搬送手段）
２１    ＤＶＤ（光ディスク）
４２    エジェクトキー（指示手段）
４５    選択キー（強制実行指示手段）
５１    トレイ
５２    エジェクトキー（指示手段）
５３    スイッチ
５４    スイッチ
５５    スイッチ
【図１】
2004206761.tif 000003
【図２】
2004206761.tif 000004
【図３】
2004206761.tif 000005
【図４】
2004206761.tif 000006
【図５】
2004206761.tif 000007
【図６】
2004206761.tif 000008